(57)【要約】【課題】簡易で小形な構成で、噴霧後に２液が混ざることを防止することができる塗布器具を提供する。【解決手段】塗布器具２は、第１液供給管２１の先端に設けられ、第１液を吐出させる第１ノズル２３と、第２液供給管２２の先端に設けられ、第２液を吐出させる第２ノズル２４と、第１ノズル２３および第２ノズル２４の位置を規定し、第１ノズル２３および第２ノズル２４の外周から噴出するガスの噴射口を規定すると共に、圧縮ガスを通すガス流路３１，３２を含む筒状のノズルヘッド２０と、を備える。第１ノズル２３および第２ノズル２４は、ノズルヘッド２０の軸線Ｌ方向に直交する幅方向に離間して配置される。第１吐出口２３ａおよび第２吐出口２４ａは、ノズルヘッド２０の軸線Ｌに交差する先端面２６から露出している。先端面２６には、第１吐出口２３ａおよび第２吐出口２４ａの間に位置し、先端面２６から軸線Ｌ方向に突出する遮蔽壁部４０が設けられている。【選択図】図１
2018000560.tif 000002
【特許請求の範囲】
【請求項１】
圧縮ガスを用いて第１液と第２液とを霧化および混合するための塗布器具であって、
前記第１液が供給される第１液供給管と、
前記第２液が供給される第２液供給管と、
前記第１液供給管の先端に設けられ、前記第１液を第１吐出口から吐出させる第１ノズルと、
前記第２液供給管の先端に設けられ、前記第２液を第２吐出口から吐出させる第２ノズルと、
前記第１ノズルおよび前記第２ノズルの位置を規定し、第１ノズルおよび第２ノズルの外周から噴出するガスの噴射口を規定すると共に、前記第１ノズルおよび前記第２ノズルの周囲に形成されて前記圧縮ガスを通すガス流路を含む筒状のノズルヘッドと、を備え、
前記第１ノズルおよび前記第２ノズルは、前記ノズルヘッドの軸線方向に直交する幅方向に離間して配置されると共に、前記第１吐出口および前記第２吐出口は、前記ノズルヘッドの前記軸線に交差する先端面から露出しており、
前記先端面には、前記第１吐出口および前記第２吐出口の間に位置し、前記先端面から前記軸線方向に突出する遮蔽壁部が設けられている、塗布器具。
【請求項２】
前記遮蔽壁部は、前記第１吐出口および前記第２吐出口のいずれよりも前記軸線方向に突出し、前記第１吐出口および前記第２吐出口のそれぞれを頂部として形成される前記第１液および前記第２液の霧化領域には重複しないように設けられる、請求項１に記載の塗布器具。
【請求項３】
前記遮蔽壁部は、前記先端面において、前記軸線方向および前記幅方向の両方に直交する高さ方向の両端まで延在している、請求項１または２に記載の塗布器具。
【発明の詳細な説明】
【技術分野】
【０００１】
本発明は、特に、２液混合型の塗布器具に関する。
【背景技術】
【０００２】
従来、２液混合型の塗布器具が知られている。たとえば特許文献１に記載されるように、フィブリノーゲンとトロンビンの２液からなる生体組織接着剤に用いられる塗布器具が知られている。この塗布器具では、２液のそれぞれにスプレーヘッドとチューブとが設けられる。チューブ内を流れた薬液は、先端の噴出口から噴出され、粒子状にせん断されて噴霧される。噴出口から噴霧されたフィブリノーゲンとトロンビンは、塗布面へ塗布されるまでの過程において初めて接触し、塗布面において凝固する。
【０００３】
また、特許文献２に記載されるように、２液を混合させる生体接着剤用噴霧器が知られている。この噴霧器の円柱状の噴霧部には、２本の薬液流出口と、２本の空気吹出口とが形成されている。噴霧部の軸方向に形成された底面に、薬液流出口が形成され、底面に垂直な背面に、空気吹出口が形成される。噴霧部には軸方向に中央仕切板が形成される。この中央仕切板の両側に、上記の薬液流出口がそれぞれ形成される。また、中央仕切板の両側に、上記の空気吹出口がそれぞれ形成される。薬液流出口から噴出された２種類の薬液は、空気吹出口から噴出される空気によって霧化および混合され、生体接着剤として噴霧される。
【先行技術文献】
【特許文献】
【０００４】
【特許文献１】特開２００３−２３５９７７号公報
【特許文献２】特許第３０６０６４４号公報
【発明の概要】
【発明が解決しようとする課題】
【０００５】
特許文献１に記載された塗布器具では、２つのスプレーヘッドは一体化されている。よって、先端の２つの噴出口は隣り合っている。たとえば医療用の使用を可能とするためには、塗布器具を小孔に挿入可能とするため、このように２つのノズル（チューブ）間の距離を短くしなければならない。しかし、噴霧が終了した後、しばらく器具を放置すると、ノズル（チューブ）の先端から液剤が漏れ出し、先端部で２液が混合されて、固着が生じ得る。先端部で固着が生じると、器具を再度使用するためには、先端部を洗浄しなければならない。特許文献２に記載された噴霧器では、噴霧部に底面と背面を設け、それぞれに薬液流出口と空気吹出口を形成する必要があるため、スプレーヘッドが大きくなる。
【０００６】
本発明は、簡易で小形な構成で、噴霧後に２液が混ざることを防止することができる塗布器具を提供することを目的とする。
【課題を解決するための手段】
【０００７】
本発明の一態様に係る塗布器具は、圧縮ガスを用いて第１液と第２液とを霧化および混合するための塗布器具であって、第１液が供給される第１液供給管と、第２液が供給される第２液供給管と、第１液供給管の先端に設けられ、第１液を第１吐出口から吐出させる第１ノズルと、第２液供給管の先端に設けられ、第２液を第２吐出口から吐出させる第２ノズルと、第１ノズルおよび第２ノズルの位置を規定し、第１ノズルおよび第２ノズルの外周から噴出するガスの噴射口を規定すると共に、第１ノズルおよび第２ノズルの周囲に形成されて圧縮ガスを通すガス流路を含む筒状のノズルヘッドと、を備え、第１ノズルおよび第２ノズルは、ノズルヘッドの軸線方向に直交する幅方向に離間して配置されると共に、第１吐出口および第２吐出口は、ノズルヘッドの軸線に交差する先端面から露出しており、先端面には、第１吐出口および第２吐出口の間に位置し、先端面から軸線方向に突出する遮蔽壁部が設けられている。
【０００８】
この塗布器具によれば、第１液供給管の先端に設けられた第１ノズルの第１吐出口から、第１液が吐出され、第２液供給管の先端に設けられた第２ノズルの第２吐出口から、第２液が吐出される。第１ノズルおよび第２ノズルの周囲に形成されたガス流路を通って、ノズルヘッドから圧縮ガスが噴射される。このとき、第１吐出口からの第１液および第２吐出口からの第２液が、圧縮ガスによって霧化および混合されて、噴霧が行われる。噴霧が終了した後にも、第１吐出口および第２吐出口から、第１液および第２液は多少吐出され得る。これらの第１液および第２液が、ノズルヘッドの先端面に付着したとしても、遮蔽壁部は、一方の液が他方の液の側へ移動することを規制する。よって、この塗布器具では、第１吐出口および第２吐出口の間に設けられた遮蔽壁部によって、噴霧後に２液が混ざることを防止することができる。ガス流路は第１ノズルおよび第２ノズルの周囲に形成されており、上記した特許文献２のように先端面に底面や背面を別々に形成する必要がない。すなわち、先端面は、略同じ向きに延びる１つの面でよい。その先端面に遮蔽壁部を設ければよいので、構成が簡易で小形である。
【０００９】
いくつかの態様において、遮蔽壁部は、第１吐出口および第２吐出口のいずれよりも軸線方向に突出し、第１吐出口および第２吐出口のそれぞれを頂部として形成される第１液および第２液の霧化領域には重複しないように設けられる。この場合、それぞれの霧化領域に遮蔽壁部は重複していないため、噴霧時において、遮蔽壁部が噴霧を妨げない。
【００１０】
いくつかの態様において、遮蔽壁部は、先端面において、軸線方向および幅方向の両方に直交する高さ方向の両端まで延在している。この場合、遮蔽壁部は、先端面の高さ方向の両端まで延在しているため、噴霧後に２液が混ざることを確実に防止することができる。
【発明の効果】
【００１１】
本発明のいくつかの態様によれば、簡易で小形な構成で、噴霧後に２液が混ざることを防止することができる。
【図面の簡単な説明】
【００１２】
【図１】本発明の第１実施形態に係る塗布器具が適用された装置の構成例を示す図である。
【図２】図１の塗布器具を示す斜視図である。
【図３】図３（ａ）は塗布器具の縦断面図、図３（ｂ）は図３（ａ）に垂直な幅方向で切断した断面図である。
【図４】図２の塗布器具のノズルヘッド部分を示す斜視図である。
【図５】図５（ａ）は図４のノズルヘッド部分を先端側から見た図、図５（ｂ）は図５（ａ）のVb-Vb線に沿う断面図である。
【図６】図６（ａ）は図４のノズルヘッド部分の平面図、図６（ｂ）は図４のノズルヘッド部分の側面図である。
【図７】ノズルヘッド部分を、ノズルの長手方向の中心軸に垂直な方向で切断した断面図である。
【図８】第２実施形態に係る塗布器具のノズルヘッド部分を示す斜視図である。
【図９】図９（ａ）は図８のノズルヘッド部分を先端側から見た図、図９（ｂ）は図９（ａ）のVIIIb-VIIIb線に沿う断面図である。
【図１０】図１０（ａ）は図４の塗布器具による塗布状態を示す図、図１０（ｂ）は図８の塗布器具による塗布状態を示す図である。
【発明を実施するための形態】
【００１３】
以下、本発明の実施形態について、図面を参照しながら説明する。なお、図面の説明において同一要素には同一符号を付し、重複する説明は省略する。
【００１４】
図１および図２を参照して、第１実施形態に係る塗布器具２および塗布器具２が適用された塗布装置１について説明する。図１に示されるように、たとえば、塗布装置１は胸腔手術に適用される装置であり、その場合、生体用接着剤を患者の患部に塗布するためのものである。塗布装置１は、生体用接着剤塗布機器としての塗布器具２を備える。塗布装置１は、塗布器具２に接続されたガス配管４と、ガス配管４を介して塗布器具２に圧縮ガスを供給する圧縮ガス源３とを備える。ガス配管４には、フィルタ６等が適宜設けられる。圧縮ガス源３は、圧縮されたガスを供給または生成可能なものであれば、どのようなものであってもよい。圧縮ガスは、たとえば圧縮空気である。
【００１５】
塗布器具２は、たとえば、ディスポーザブル（使い捨て）タイプの器具である。図１および図２に示されるように、塗布器具２には、第１液である主剤が充填された第１シリンジＡ１と、第２液である硬化剤が充填された第２シリンジＡ２とが取り付けられる。より詳細には、塗布器具２の本体１０の後端部には、それぞれ円筒状の第１シリンジ保持部１１および第２シリンジ保持部１２が設けられている。第１シリンジ保持部１１に第１シリンジＡ１の先端が挿入されて保持され、第２シリンジ保持部１２に第２シリンジＡ２の先端が挿入されて保持される。第１シリンジＡ１と第２シリンジＡ２とは、たとえば平行に設置される。第１シリンジＡ１および第２シリンジＡ２の大きさは、同じであってもよいし、異なっていてもよい。
【００１６】
主剤および硬化剤の種類や物質名は特に限定されるものではない。一例として、主剤はフィブリノーゲン含有溶液であってもよく、硬化剤はトロンビン含有溶液であってもよい。主剤および硬化剤は、混合されることによって接着剤としての機能を発揮する。
【００１７】
第１シリンジＡ１および第２シリンジＡ２には、それぞれピストンおよびロッド（押子）が挿入されており、これらが１つの操作部１４によって、操作可能になっている。操作部１４は、第１シリンジＡ１および第２シリンジＡ２に対して共用化されている。操作者（医師等）が操作部１４を軸線方向に押圧して押し込むことにより、第１シリンジＡ１内の主剤と、第２シリンジＡ２内の硬化剤とが同時に本体１０内に送られる。
【００１８】
塗布器具２の本体１０には、第１シリンジ保持部１１および第２シリンジ保持部１２の先端側の近傍においてガス導入部１６が設けられている。ガス導入部１６にはガス配管４が接続されている。本体１０は、ガス導入部１６に連続して設けられ、軸線方向に真っ直ぐに延びる細長い管状部１７を有する。管状部１７は、たとえば、外径が５ｍｍ程度であり、長さが３０ｃｍ程度の中空管である。第１シリンジＡ１および第２シリンジＡ２の軸線と、管状部１７の軸線とは、たとえば平行である。管状部１７の内部空間は、ガス導入部１６の内部空間に連通している。これにより、圧縮ガス源３から供給された圧縮ガスは、管状部１７内を通る。
【００１９】
一方で、図３（ａ）および図３（ｂ）に示されるように、管状部１７内には、第１シリンジ保持部１１に接続されて主剤を流通させる第１液供給管２１と、第２シリンジ保持部１２に接続されて硬化剤を流通させる第２液供給管２２とが配置されている。第１液供給管２１には、第１シリンジＡ１からの主剤が供給され、第２液供給管２２には、第２シリンジＡ２からの硬化剤が供給される。上記した圧縮ガスの流路は、管状部１７内であって、第１液供給管２１および第２液供給管２２の外部に形成される。
【００２０】
塗布器具２は、第１液供給管２１の先端に設けられた第１ノズル２３と、第２液供給管２２の先端に設けられた第２ノズル２４とを備える。塗布器具２は、管状部１７の先端に設けられたノズルヘッド２０を備える。ノズルヘッド２０は、第１ノズル２３および第２ノズル２４の位置を規定し、第１ノズル２３および第２ノズル２４の外周から噴出するガスの噴射口を規定する。ノズルヘッド２０は、たとえば、円錐台状をなす管状のキャップである。なお、ノズルヘッド２０は、円筒状をなしてもよい。第１ノズル２３の先端に形成された第１吐出口２３ａおよび第２ノズル２４の先端に形成された第２吐出口２４ａは、ノズルヘッド２０の先端面２６から露出している（図４参照）。第１ノズル２３は、第１吐出口２３ａから主剤を吐出させる。第２ノズル２４は、第２吐出口２４ａから硬化剤を吐出させる。
【００２１】
このように、管状部１７およびノズルヘッド２０からなる１本の管状体の内部に、先端に第１ノズル２３が接続された第１液供給管２１、および、先端に第２ノズル２４が接続された第２液供給管２２からなる２本の管状体が収納されている。これらの２本の管状体は、たとえば、略平行に配置されている。管状部１７とは別体のノズルヘッド２０が、管状部１７の先端に取り付けられてもよいし、ノズルヘッド２０が、管状部１７と一体に形成されてもよい。第１液供給管２１とは別体の第１ノズル２３が、第１液供給管２１の先端に取り付けられてもよいし、第１ノズル２３が、第１液供給管２１と一体に形成されてもよい。第２液供給管２２とは別体の第２ノズル２４が、第２液供給管２２の先端に取り付けられてもよいし、第２ノズル２４が、第２液供給管２２と一体に形成されてもよい。
【００２２】
２液混合型の塗布装置１および塗布器具２では、管状部１７は、トロッカーと呼ばれる管状部材の小孔から患者の体内に挿入される。まず、圧縮ガス源３より圧縮ガスをノズルヘッド２０に供給し、第１ノズル２３及び第２ノズル２４の外周から噴出させた状態で、操作部１４を操作し、第１ノズル２３及び第２ノズル２４よりそれぞれ塗布材を吐出する。操作部１４の操作に応じて、第１液供給管２１および第１ノズル２３に供給された主剤は第１吐出口２３ａから吐出され、第２液供給管２２および第２ノズル２４に供給された硬化剤は第２吐出口２４ａから吐出される。このとき、ノズルヘッド２０内の第１流路３１および第２流路３２（図５（ｂ）参照）を通った圧縮ガスが先端面２６から噴射され、主剤および硬化剤と圧縮ガスとが衝突することにより、せん断力が主剤および硬化剤に作用し、主剤および硬化剤が霧化させられる。塗布を終了する場合は、操作部１４の操作を止め、塗布剤の吐出を終了してから、圧縮ガス源３よりの圧縮ガスのノズルヘッド２０への供給を止める。
【００２３】
上記のようにして、噴霧が行われる。塗布器具２では、２液を霧状に噴霧し確実に混合させながら、２液の混合によって得られる生体用接着剤を、均一かつ広範囲に塗布することができる。なお、主剤と硬化剤の供給比率は、たとえば１対１（等量）である。
【００２４】
噴霧が行われた後は、圧縮ガスの供給および噴射が停止され、主剤および硬化剤の供給および吐出が停止される。特に、本実施形態の塗布器具２は、噴霧後において、主剤および硬化剤が先端面２６で混合されてしまうのを防止する構造を備えている。
【００２５】
以下、図４〜図６を参照して、ノズルヘッド２０およびノズル構造について説明する。図５（ｂ）に示されるように、第１ノズル２３および第２ノズル２４は、ノズルヘッド２０の軸線Ｌに沿って配置されている。第１ノズル２３の第１ノズル軸線Ｂ１および第２ノズル２４の第２ノズル軸線Ｂ２は、軸線Ｌに平行である。第１ノズル２３および第２ノズル２４は、軸線Ｌに直交する幅方向に離間している。幅方向とは、複数のノズルである第１ノズル２３および第２ノズル２４が並ぶ方向である。
【００２６】
ノズルヘッド２０は、たとえば円錐台状の周壁部２５と、周壁部２５の先端側に形成された先端面２６とを含む。ノズルヘッド２０内には、軸線Ｌ方向に沿って延びる第１貫通孔２７および第２貫通孔２８が形成されている。第１貫通孔２７および第２貫通孔２８は、平行に延在しており、それぞれ、ノズルヘッド２０を軸線Ｌ方向に貫通している。第１貫通孔２７および第２貫通孔２８は、幅方向に離間している。第１貫通孔２７および第２貫通孔２８の間には、中央壁２９が存在する。
【００２７】
第１貫通孔２７内に、第１ノズル２３が配置される。第２貫通孔２８内に、第２ノズル２４が配置される。図７に示されるように、第１ノズル２３および第２ノズル２４は、たとえば、第１貫通孔２７および第２貫通孔２８の内壁面に設けられた複数の支持突起３６によって、周方向の複数箇所を支持されている。たとえば、図７に示されるように、第１貫通孔２７の内壁面には、周方向に等間隔に配置された３つの支持突起３６が設けられている。支持突起３６の先端（径方向内方の先端）は、第１ノズル２３の外周面に当接する。３つの支持突起３６は等しい形状および大きさを有しており、第１貫通孔２７に対して、第１ノズル２３は同軸状に設置されている。それぞれの形状および大きさを変えれば、意図的に同軸上からずれた位置に設置する事も出来る。第２ノズル２４は、第２貫通孔２８に対して同様に設置されている。この構造により、第１ノズル２３および第２ノズル２４は、第１貫通孔２７および第２貫通孔２８の内部において位置決めされ、保持されている。
【００２８】
上記したように、第１ノズル２３の第１吐出口２３ａと、第２ノズル２４の第２吐出口２４ａとは、それぞれ、ノズルヘッド２０の先端面２６から露出している。図４および図５（ｂ）に示されるように、第１吐出口２３ａは、先端面２６よりも前方に突出してもよい。第２吐出口２４ａは、先端面２６よりも前方に突出してもよい。第１吐出口２３ａは、第１ノズル軸線Ｂ１に直交する開口として形成されており、第２吐出口２４ａは、第２ノズル軸線Ｂ２に直交する開口として形成されている。先端面２６は、第１吐出口２３ａおよび第２吐出口２４ａに対して略平行である。なお、第１吐出口２３ａおよび第２吐出口２４ａの両方またはいずれか一方が、軸線Ｌ方向において先端面２６と同じ位置にあってもよく、先端面２６より僅かに引っ込んだ位置にあってもよい。いずれにしても、第１吐出口２３ａと第２吐出口２４ａとは、先端面２６から露出しており、外部（前方）に臨んでいる。なお、「前方」は、吐出方向を基準としている。
【００２９】
図５（ａ）および図５（ｂ）に示されるように、第１ノズル２３とノズルヘッド２０との間、すなわち第１ノズル２３と第１貫通孔２７との間には、円筒状の第１流路（ガス流路）３１が形成されている。第２ノズル２４とノズルヘッド２０との間、すなわち第２ノズル２４と第２貫通孔２８との間には、円筒状の第２流路（ガス流路）３２が形成されている。これらの第１流路３１および第２流路３２は、管状部１７と、第１液供給管２１および第２液供給管２２との間に形成された上記の流路に連続している。管状部１７内を通過した圧縮ガスは、途中で分岐して、これらの２つの第１流路３１および第２流路３２を通る。第１流路３１および第２流路３２の先端には、環状の噴射口がそれぞれ形成されている。
【００３０】
第１流路３１に対する第１ノズル２３の配置・構造と、第２流路３２に対する第２ノズル２４の配置・構造とは、軸線Ｌを通り且つ幅方向に垂直な仮想平面に関して対称である。なお、第１流路３１に対する第１ノズル２３の配置・構造と、第２流路３２に対する第２ノズル２４の配置・構造とが、上記仮想平面に関して対称でなくてもよい。これらは、２液の霧化および混合の態様に応じて、非対称とされてもよい。
【００３１】
図４に示されるように、本実施形態の塗布器具２において、先端面２６には、先端面２６から軸線Ｌ方向に突出する遮蔽壁部４０が設けられている。遮蔽壁部４０は、第１吐出口２３ａおよび第２吐出口２４ａの間に位置している。遮蔽壁部４０は、板状をなしており、軸線Ｌ方向および幅方向の両方に直交する高さ方向（図６（ｂ）の上下方向）に延在している。ノズルヘッド２０の先端面２６は、円形の平坦面であり、軸線Ｌに直交する方向に延びる。図６（ａ）に示されるように、遮蔽壁部４０は、先端面２６の全面よりも軸線Ｌ方向に（前方に）突出している。遮蔽壁部４０は、第１吐出口２３ａおよび第２吐出口２４ａよりも軸線Ｌ方向に（前方に）突出している。
【００３２】
図４、図５（ａ）および図６（ｂ）に示されるように、遮蔽壁部４０は、先端面２６の中央を上下に横断している。すなわち、遮蔽壁部４０は、先端面２６において、高さ方向の両端まで延在している。遮蔽壁部４０の先端４０ａが先端面２６から突出する長さは、高さ方向において一定である。遮蔽壁部４０の幅（厚み）は、高さ方向および軸線Ｌ方向において一定である。遮蔽壁部４０の上端４０ｂと下端４０ｃとは、周壁部２５の外周面に連続している。遮蔽壁部４０の上端４０ｂと下端４０ｃと、周壁部２５の外周面との間には段差が無い。
【００３３】
図４および図５（ａ）に示されるように、遮蔽壁部４０によって、先端面２６は２つの部分に分割されている。先端面２６は、第１ノズル２３側の第１部分２６ａと、第２ノズル２４側の第２部分２６ｂとを含む。上記したように遮蔽壁部４０は先端面２６において高さ方向の両端まで延在しているので、第１部分２６ａと第２部分２６ｂとは、完全に分離されている。遮蔽壁部４０は、第１吐出口２３ａと第２吐出口２４ａとの間に設けられた隔壁である。
【００３４】
図１０（ａ）に示されるように、遮蔽壁部４０は、噴霧時において、噴霧の妨げにはならないように設けられている。すなわち、遮蔽壁部４０は、第１吐出口２３ａおよび第２吐出口２４ａのいずれよりも軸線Ｌ方向に突出しているが、主剤の第１霧化領域Ｒ１および硬化剤の第２霧化領域Ｒ２には重複しないように設けられている。言い換えれば、遮蔽壁部４０は、圧縮ガスおよび霧化された塗布材の跳ね返りを生じさせない高さ（突出長さ）に形成されている。
【００３５】
第１霧化領域Ｒ１は、第１吐出口２３ａを頂部として、第１ノズル軸線Ｂ１に沿って形成される。第２霧化領域Ｒ２は、第２吐出口２４ａを頂部として、第２ノズル軸線Ｂ２に沿って形成される。第１霧化領域Ｒ１および第２霧化領域Ｒ２は、たとえば、略円錐状である。第１ノズル２３と第１流路３１、および、第２ノズル２４と第２流路３２の構造によって、第１霧化領域Ｒ１および第２霧化領域Ｒ２の形状および大きさは、適宜調整され得る。なお、先端面２６から生体Ｘまでの距離は、たとえば、３〜５ｃｍ程度である。
【００３６】
一方で、噴霧後において、遮蔽壁部４０は、先端面２６を第１吐出口２３ａ側の領域と第２吐出口２４ａ側の領域とに分けることにより、主剤および硬化剤が先端面２６で混合されてしまうのを防止する。
【００３７】
本実施形態の塗布器具２では、第１吐出口２３ａから吐出される主剤および第２吐出口２４ａから吐出される硬化剤が、圧縮ガスによってそれぞれが霧化された後それらが混合されて、塗布される。塗布が終了する際、圧縮ガスの供給が停止される。一方、噴霧が終了した後にも、第１吐出口２３ａおよび第２吐出口２４ａから、主剤および硬化剤は、多少吐出され得る。圧縮ガスの停止によってせん断力は得られなくなっているので、主剤および硬化剤は、先端面２６に液滴となって付着し得る。しかし、主剤および硬化剤がノズルヘッド２０の先端面２６に付着したとしても、遮蔽壁部４０は、一方の液が他方の液の側へ移動することを規制する。すなわち、遮蔽壁部４０は、主剤または硬化剤が先端面２６上で遮蔽壁部４０を超えて第１部分２６ａと第２部分２６ｂとの間を移動することを規制する。よって、塗布器具２では、第１吐出口２３ａおよび第２吐出口２４ａの間に設けられた遮蔽壁部４０によって、噴霧後に先端面２６上の第１吐出口２３ａおよび第２吐出口２４ａを含むそれらの近傍において、２液が混ざることが防止される。第１流路３１および第２流路３２は第１ノズル２３および第２ノズル２４の周囲に形成されており、上記した特許文献２のように先端面に底面や背面を別々に形成する必要がない。すなわち、先端面２６は、略同じ向きに延びる１つの面でよい。そのような先端面２６に遮蔽壁部４０を設ければよいので、構成が簡易で小形である。
【００３８】
遮蔽壁部を備えない従来の塗布器具では、噴霧が終了した後、しばらく器具を放置すると、ノズル（チューブ）の先端から液剤が漏れ出し、液滴となった２液が先端部で混合されて、固着が生じていた。先端部で固着が生じると、器具を再度使用するためには、先端部を洗浄しなければならなかった。本実施形態の塗布器具２では、第１吐出口２３ａおよび第２吐出口２４ａは近接しており小型化が実現されているが、これらの間に遮蔽壁部４０が設けられるため、固着をも防止することができる。よって、噴霧と停止を繰り返す場合でも、その間に固着は生じず、洗浄などは不要である。操作者は、固着による噴霧状態の変化を気にせずに噴霧と停止を繰り返すことができる。
【００３９】
しかも、第１霧化領域Ｒ１および第２霧化領域Ｒ２に遮蔽壁部４０は重複していないため、噴霧時において、遮蔽壁部４０が噴霧の妨げにならない。
【００４０】
また、遮蔽壁部４０は、先端面２６の高さ方向の両端まで延在しているため、噴霧後に２液が混ざることが確実に防止されている。
【００４１】
図８、図９（ａ）、図９（ｂ）および図１０（ｂ）を参照して、第２実施形態について説明する。第２実施形態の塗布器具２は、平行ではなく角度付けされた第１ノズル２３Ａおよび第２ノズル２４Ａを有する。図９（ｂ）に示されるように、第１ノズル２３Ａの中心を通る第１ノズル軸線Ｂ１と、第２ノズル２４Ａの中心を通る第２ノズル軸線Ｂ２とは、いずれも軸線Ｌに対して角度をなしている（傾斜している）。第１ノズル２３Ａおよび第２ノズル２４Ａは幅方向に離間しているが、第１ノズル軸線Ｂ１および第２ノズル軸線Ｂ２は、平行ではなく、先端側、すなわち第１吐出口２３ａおよび第２吐出口２４ａに向かうにつれて、互いに近づいている。第１ノズル軸線Ｂ１および第２ノズル軸線Ｂ２は、軸線Ｌ方向および幅方向に延びる同一の平面上に位置する。軸線Ｌに対して第１ノズル軸線Ｂ１がなす角度θ１は、鋭角である。軸線Ｌに対して第２ノズル軸線Ｂ２がなす角度θ２は、鋭角である。
【００４２】
第１ノズル軸線Ｂ１および第２ノズル軸線Ｂ２は、ノズルヘッド２０の前方で交差している。第１ノズル軸線Ｂ１と第２ノズル軸線Ｂ２とがなす角度は、角度θ１と角度θ２との和である。言い換えれば、第１ノズル軸線Ｂ１と第２ノズル軸線Ｂ２とがなす角度は、それらが等しい場合は角度θ１（角度θ２）の２倍であり、これも鋭角である。
【００４３】
このように、第１ノズル２３Ａおよび第２ノズル２４Ａは非平行に配置され、軸線Ｌ方向および幅方向の両方に垂直な方向から見て、Ｖ字状をなしている。第１流路３１および第１ノズル２３Ａと、第２流路３２および第２ノズル２４Ａとは、軸線Ｌを通り且つ幅方向に垂直な仮想平面に関して対称である。
【００４４】
先端面２６Ａは、凹面状をなしている。先端面２６Ａは、円筒面の一部と同じ形状を有してもよく、球面または円錐面の一部と同じ形状を有してもよい。第１吐出口２３ａは、第１ノズル軸線Ｂ１に直交する開口として形成されており、第２吐出口２４ａは、第２ノズル軸線Ｂ２に直交する開口として形成されている。先端面２６Ａは、第１吐出口２３ａおよび第２吐出口２４ａに対して略平行である。
【００４５】
先端面２６Ａの中央には、軸線Ｌ方向に突出すると共に上下に横断する遮蔽壁部４０Ａが設けられている。遮蔽壁部４０Ａの幅（厚み）は、高さ方向において一定であるが、軸線Ｌ方向においては、先端４０ａに向かうにつれて、小さくなっている。すなわち、第１吐出口２３ａ側の第１側面４０ｄと、第２吐出口２４ａ側の第２側面４０ｅとは、非平行であり、先端４０ａに向かうにつれて、互いに近づいている。遮蔽壁部４０Ａは、角度付けされた第１ノズル２３Ａおよび第２ノズル２４Ａに対応して、先細形状をなしている。遮蔽壁部４０Ａは、その他の点においては、遮蔽壁部４０と同様の構成を有する。
【００４６】
図１０（ｂ）に示されるように、遮蔽壁部４０Ａは、噴霧時において、噴霧の妨げにはならないように設けられている。すなわち、遮蔽壁部４０Ａは、第１吐出口２３ａおよび第２吐出口２４ａのいずれよりも軸線Ｌ方向に突出しているが、主剤の第１霧化領域Ｒ１および硬化剤の第２霧化領域Ｒ２には重複しないように設けられている。言い換えれば、遮蔽壁部４０Ａは、圧縮ガスおよび霧化された塗布材の跳ね返りを生じさせない高さ（突出長さ）に形成されている。
【００４７】
第２実施形態によっても、第１実施形態と同様の作用・効果が奏される。すなわち、第１吐出口２３ａおよび第２吐出口２４ａの間に設けられた遮蔽壁部４０Ａによって、噴霧後に２液が混ざることが防止される。また、先端面２６Ａは、略同じ向きに延びる１つの面でよい。そのような先端面２６Ａに遮蔽壁部４０Ａを設ければよいので、構成が簡易である。
【００４８】
以上、本発明の実施形態について説明したが、本発明は上記実施形態に限られない。たとえば、第２実施形態において、軸線Ｌに対して傾斜する角度θ１および角度θ２が異なっていてもよい。第１ノズル軸線Ｂ１と第２ノズル軸線Ｂ２とが、必ずしも交差しなくてもよい。すなわち、第１ノズル軸線Ｂ１と第２ノズル軸線Ｂ２とが同一平面上に位置しなくてもよい。第１流路３１および第１ノズル２３と、第２流路３２および第２ノズル２４とが、軸線Ｌを通り且つ幅方向に垂直な仮想平面に関して非対称であってもよい。
【００４９】
遮蔽壁部４０は、先端面における高さ方向の両端まで延在する場合に限られず、高さ方向のいずれか一端まで延在してもよい。すなわち、第１部分２６ａと第２部分２６ｂとが、上下いずれか一端部で接続されてもよい。たとえば、先端面における下端まで遮蔽壁部４０が延在すると、下端側には液の垂れ落ちが発生しやすいと考えられるので、固着防止には特に有効である。遮蔽壁部４０は、先端面における高さ方向の両端まで延在せずに、第１吐出口２３ａと第２吐出口２４ａとの間において高さ方向の一部分のみに設けられてもよい。すなわち、第１部分２６ａと第２部分２６ｂとが、上下の端部で接続されてもよい。その場合でも、遮蔽壁部４０によって、２液の混合および固着は防止され得る。
【００５０】
遮蔽壁部４０は、第１吐出口２３ａおよび第２吐出口２４ａと軸線Ｌにおいて同一の位置、または、第１吐出口２３ａおよび第２吐出口２４ａよりも軸線Ｌ方向において引っ込んだ位置（手前側）に設けられてもよい。遮蔽壁部４０は、第１吐出口２３ａおよび第２吐出口２４ａよりも軸線Ｌ方向に突出し、さらに固着防止を最優先とする場合、第１液および第２液の霧化領域に重複する程に突出していていもよい。その場合でも、遮蔽壁部４０の第１の面に第１液が、遮蔽壁部４０の第２の面に第２液が当たり得るが、２液の混合および固着は防止され得る。
【００５１】
圧縮ガスの流路は第１ノズル２３と第２ノズル２４とに別個に設けられる場合に限られず、単一の（共通の）流路が設けられてもよい。その場合、先端面に形成された単一の流路の噴射口を横断するようにして、第１吐出口２３ａと第２吐出口２４ａとの間に遮蔽壁部４０が設けられてもよい。
【００５２】
先端面２６は、第１実施形態のように、軸線Ｌに直交する場合に限られない。先端面２６は、軸線Ｌに対して傾斜してもよい。先端面２６の形状は平面に限られず、適宜、凹凸や段差が設けられてもよい。
【００５３】
圧縮ガスに用いられるガスは、空気に限られず、たとえば窒素ガスや炭酸ガス等であってもよい。胸腔手術に限られず、他の箇所や他の種類の手術、たとえば開腹手術等に、本発明を適用することもできる。
【符号の説明】
【００５４】
１…塗布装置、２…塗布器具、２０…ノズルヘッド、２１…第１液供給管、２２…第２液供給管、２３，２３Ａ…第１ノズル、２３ａ…第１吐出口、２４，２４Ａ…第２ノズル、２４ａ…第２吐出口、２６，２６Ａ…先端面、３１…第１流路（ガス流路）、３２…第２流路（ガス流路）、４０，４０Ａ…遮蔽壁部、Ｌ…軸線、Ｒ１…第１霧化領域、Ｒ２…第２霧化領域、Ｘ…生体。
【図１】
2018000560.tif 000003
【図２】
2018000560.tif 000004
【図３】
2018000560.tif 000005
【図４】
2018000560.tif 000006
【図５】
2018000560.tif 000007
【図６】
2018000560.tif 000008
【図７】
2018000560.tif 000009
【図８】
2018000560.tif 000010
【図９】
2018000560.tif 000011
【図１０】
2018000560.tif 000012